(57)【要約】【課題】  基台上に受変電設備が載置された状態であっても受変電設備の吊り上げを無理なく実施できる受変電設備吊り上げ治具を提供する。【解決手段】  高圧受電するために高圧を低圧に変換する変圧器２が載置された基台６ａと、基台６ａの端部に起立配置されて変圧器２の二次側端子２ｂが接続される低圧端子台３が組み付けられた前面枠６ｂとを備えた変圧器盤１０に対して、基台６ａの外形に合わせて形成された四角形の天枠１１と、当該天枠１１の後端部から前面枠６ｂの高さに合わせた長さで垂下形成した背枠１２とを有すると共に、天枠１１の上面４隅にはアイボルト１３が設けられて成り、天枠側１１を前面枠に連結すると共に背枠１２の下端を基台６ａに連結することで、吊り上げるフレームは箱状の枠体を成し、アイボルト１３を使用して変圧器盤１０を吊り上げる。【選択図】  図１
2018074802.tif 000002
【特許請求の範囲】
【請求項１】
高圧受電するために高圧を低圧に変換する変圧器が載置された基台と、前記基台の端部に起立配置されて前記変圧器の二次側が接続される低圧端子台が組み付けられた前面枠とを備えた受変電設備に対して、
前記基台の外形に合わせて形成された四角形の天枠と、当該天枠の所定の端部から前記前面枠の高さに合わせた長さで垂下形成した背枠とを有すると共に、前記天枠の上面４隅には吊り上げる際に使用する吊り部材が設けられて成り、
前記天枠側の端部を前記前面枠の上端に分離可能に連結すると共に、前記背枠側の端部を前記基台の後端に分離可能に連結することで、前記天枠、前記背枠、前記基台、前記前面枠により箱状の枠体を形成して、
前記吊り部材を使用して前記受変電設備の吊り上げを可能とすることを特徴とする受変電設備吊り上げ治具。
【請求項２】
高圧受電するために高圧を低圧に変換する変圧器が載置された基台と、前記基台の端部に起立配置されて前記変圧器の二次側が接続される低圧端子台が組み付けられた前面枠とを備え、前記基台の４隅に吊り上げる際に使用する吊り部材が配置された受変電設備に対して、
前記変圧器の上方に配置されて、前記吊り部材に連結された４本のワイヤがそれぞれ鉛直上方に配設された状態で連結可能な部位を備えた枠体を有し、
前記枠体の上面４隅に、吊り上げのための吊り部材が配置されてなることを特徴とする受変電設備吊り上げ治具。
【発明の詳細な説明】
【技術分野】
【０００１】
本発明は、変圧器等の重量物を含む受変電設備を吊り上げる際に使用する受変電設備吊り上げ治具に関する。
【背景技術】
【０００２】
オフィスビルや中高層の集合住宅等の電力の大口需要家に設置される受変電設備は、建屋内に電気室が設けられ、その中に設置された。具体的に、受電した高圧電力を低圧に変換する変圧器をはじめ、遮断器、開閉器、保護継電器、コンデンサ、電力ヒューズ、計器用変成器等が電気室に設置された。
このような受変電設備の中で、高圧の受電電圧を低圧に変換する変圧器は重量物であるため、搬入する際、また所定位置に設置する際にはクレーンが使用される。この場合、変圧器には吊り上げのためのアイボルトが取り付けられているため、変圧器単体を吊り上げる際にはこのアイボルトを使用することでクレーン等で容易に吊り上げできた。
一方で、近年高圧受電設備の小型化と設置時間の短縮のために、装置毎にユニット化して搬入し、ユニット同士を現場で連結して設備を構築する技術がある（例えば、特許文献１参照）。このように箱状にユニット化されている場合は、箱状に形成されたフレームの天面に設けられたアイボルトを使用することで、容易にクレーンで吊り上げできた。
【先行技術文献】
【特許文献】
【０００３】
【特許文献１】特開２０１６−９６６９９号公報
【発明の概要】
【発明が解決しようとする課題】
【０００４】
しかしながら、受電した高電圧を低圧に変換する変圧器は、低圧端子台等の他の変電設備機器とフレームを介して一体化されても、吊り上げる場合は変圧器を載置して組み付けた基台を吊り上げる必要があった。これは、変圧器単体を吊り上げる場合より重量が増加するため、変圧器に設けられているアイボルトは使用できないことと、他の機器が組み付けられているフレーム類は、吊り上げの応力まで対応していないためであった。
そのため、基台にアイボルト等の治具が取り付けられるが、それだけでは吊り上げる際にワイヤが変圧器に接触する恐れがあったし、吊り上げる基台より全体の重心位置が上方になるため不安定な状態で吊り上げることになるため、組み付けた機器にワイヤが接触しないよう、また変圧器等が傾かないよう作業者に負担がかかっていた。
【０００５】
そこで、本発明はこのような問題点に鑑み、変圧器が組み付けられた受変電設備を吊り上げる際に、変圧器を載置した基台をスムーズに吊り上げできる受変電設備吊り上げ治具を提供することを目的としている。
【課題を解決するための手段】
【０００６】
上記課題を解決する為に、請求項１の発明に係る受変電設備吊り上げ治具は、高圧受電するために高圧を低圧に変換する変圧器が載置された基台と、基台の端部に起立配置されて変圧器の二次側が接続される低圧端子台が組み付けられた前面枠とを備えた受変電設備に対して、基台の外形に合わせて形成された四角形の天枠と、当該天枠の所定の端部から前面枠の高さに合わせた長さで垂下形成した背枠とを有すると共に、天枠の上面４隅には吊り上げる際に使用する吊り部材が設けられて成り、天枠側の端部を前面枠の上端に分離可能に連結すると共に、背枠側の端部を基台の後端に分離可能に連結することで、天枠、背枠、基台、前面枠により箱状の枠体を形成して、吊り部材を使用して受変電設備の吊り上げを可能とすることを特徴とする。
この構成によれば、箱状に形成された枠体を吊り上げるため、基台に変圧器が載置された状態であっても、変圧器自体を吊り上げることなく無理なく吊り上げできる。しかも天面に設けた吊り部材を使用して吊り上げられるため、重心は吊り上げ部より低い位置にあり、安定した状態で吊り上げできる。更に、受変電設備を設置した後は吊り部材は取り外せば良く、変圧器等へのケーブル接続をスムーズに実施できる。
【０００７】
請求項２の発明に係る受変電設備吊り上げ治具は、高圧受電するために高圧を低圧に変換する変圧器が載置された基台と、基台の端部に起立配置されて変圧器の二次側が接続される低圧端子台が組み付けられた前面枠とを備え、基台の４隅に吊り上げる際に使用する吊り部材が配置された受変電設備に対して、変圧器の上方に配置されて、吊り部材に連結された４本のワイヤがそれぞれ鉛直上方に配設された状態で連結可能な部位を備えた枠体を有し、枠体の上面４隅に、吊り上げのための吊り部材が配置されてなることを特徴とする。
この構成によれば、受変電設備吊り上げ治具が基台の吊り部材に装着されたワイヤを鉛直上方に案内するため、基台に変圧器が載置された状態であっても、吊り上げ時にワイヤが変圧器に接触するのを防止でき、変圧器自体を吊り上げなくても無理なく吊り上げできる。そして、基台を吊り上げる構成であっても、受変電設備吊り上げ治具は変圧器の上方に配置されるため、重心はその下方に位置することになり、安定した吊り上げが可能となる。
【発明の効果】
【０００８】
本発明によれば、変圧器が組み付けられた受変電設備を吊り上げる際に、変圧器を吊り上げることなく変圧器を載置した基台をスムーズに吊り上げできる。
【図面の簡単な説明】
【０００９】
【図１】本発明に係る受変電設備吊り上げ治具の一例を示す側面説明図であり、変圧器盤に取り付けた状態を示している。
【図２】図１の平面図である。
【図３】受変電設備吊り上げ治具の斜視図である。
【図４】受変電設備吊り上げ治具の他の例を示す側面説明図であり、変圧器盤を吊り上げている状態を示している。
【図５】図４の受変電設備吊り上げ治具の斜視図である。
【発明を実施するための形態】
【００１０】
以下、本発明を具体化した実施の形態を、図面を参照して詳細に説明する。図１，２は本発明に係る受変電設備吊り上げ治具（以下、単に「吊り上げ治具」とする）の一例を示し、図１は変圧器盤に取り付けた側面説明図、図２は平面説明図である。
ここでは、受変電設備として高圧受電した電圧を低圧に変換する変圧器２と、低圧端子台３とを組み付けた変圧器盤１０に対して吊り上げ治具１を取り付けた状態を示している。
【００１１】
変圧器盤１０は、床Ｆに設置される基台６ａと、基台６ａの前面に立設される前面枠６ｂとから成るフレーム体６を有し、基台６ａ上に変圧器２が設置され、前面枠６ｂに変圧器２の二次側端子２ｂが接続された低圧端子台３、変圧器２の二次側の電圧／電流を計測する電圧計４、電流計５等が組み付けられている。
【００１２】
図３は吊り上げ治具１の斜視図を示し、吊り上げ治具１はこの図３に示すように天枠１１と背枠１２とを有し、Ｌ字状に形成されている。具体的に、天枠１１は前面枠６ｂの上端に連結されて変圧器２の上方に、基台６ａに対して平行に配置される部材であり、基台６ａと同一の幅及び奥行きを有する四角形の枠体である。
一方背枠１２は、基台６ａの後端に連結されて前面枠６ｂに対して平行に配置されるコ字状の枠体であり、天枠１１の後端部に垂下されるように形成されている。天枠１１と同一の幅で、前面枠６ｂと同一の高さを有している。
【００１３】
尚、吊り上げ治具１、フレーム体６は、何れも金属フレームを加工して作製されている。また、前面枠６ｂは基台６ａ上に設置された変圧器２より上方に突出する高さを有し、変圧器盤１０を吊り上げる際にその重量に対して十分な強度を有する部材で作製されている。
【００１４】
天枠１１の上面４隅には、吊り上げ時に使用する吊り部材であるアイボルト１３が取り付けられ、天枠１１の前面枠６ｂに連結される正面部位にはボルト（図示せず）により連結するための連結孔１１ａが穿設され、背枠１２の基台６ａと連結される下端部位にはボルト（図示せず）により連結するための連結孔１２ａが穿設されている。
【００１５】
このように形成された吊り上げ治具１が、図１に示すように変圧器盤１０のフレーム体６に連結され、天枠１１に設けられているアイボルト１３にワイヤが掛けられてクレーン等で吊り上げが行われる。吊り上げ治具１をフレーム体６に連結することで、吊り上げるフレームは、天枠１１、背枠１２、基台６ａ、前面枠６ｂにより全体で立方体形状を成し、安定した吊り上げが可能となる。
こうして変圧器盤１０が所定の位置に設置された後は、吊り上げ治具１をフレーム体６から外せば作業は完了となり、その後変圧器２の一次側端子２ａに図示しない高圧配線が接続される。
【００１６】
このように、箱状に形成された枠体を吊り上げるため、基台６ａに変圧器２が載置された状態であっても、変圧器２自体を吊り上げることなく無理なく吊り上げできる。しかも吊り上げ治具１の天面に設けたアイボルト１３を使用して吊り上げられるため、重心は吊り上げ部より低い位置にあり、安定した状態で吊り上げできる。更に、変圧器盤１０を設置した後は吊り上げ治具１は取り外せば良く、変圧器２等へのケーブル接続をスムーズに実施できる。
【００１７】
図４，５は吊り上げ治具の他の例を示している。図４は変圧器盤１０に取り付けた側面説明図、図５は吊り上げ治具単体の斜視図であり、上記図１のように吊り上げ対象の変圧器盤１０には直接連結されず、変圧器２の上方に配置されてワイヤＷを介して連結されるよう構成されている。
吊り上げ治具１ａは、基台６ａの形状に合わせて形成された四角形枠体の上面の４隅にアイボルト１３ａが取り付けられ、下面の４隅にもアイボルト１３ｂが取り付けられて形成されている。
【００１８】
変圧器盤１０の基台６ａの４隅にもアイボルト１３ｃが取り付けられ、下面に設けられたアイボルト１３ｂとこのアイボルト１３ｃとがワイヤＷを介して連結される。そして、上面に設けられたアイボルト１３ａが、図４に示すようにクレーン等にワイヤ掛けする際に使用される。
こうして、吊り上げ治具１ａを変圧器２の上方に水平に配置して基台６ａを吊り上げることで、変圧器盤１０全体が吊り上げられる。
尚、基台６ａに連結されたワイヤＷの上端はフック１５を介してアイボルト１３ｂに連結されており、ワイヤＷの着脱操作を容易としている。
【００１９】
このように、吊り上げ治具１ａが基台６ａのアイボルト１３に装着されたワイヤＷを鉛直上方に案内するため、基台６ａに変圧器２が載置された状態であっても、吊り上げ時にワイヤＷが変圧器２に接触するのを防止でき、変圧器２自体を吊り上げなくても無理なく吊り上げできる。そして、基台６ａを吊り上げる構成であっても、吊り上げ治具１ａは変圧器２の上方に配置されるため、重心はその下方に位置することになり、安定した吊り上げが可能となる。
【００２０】
尚、基台６ａと連結するワイヤＷと、クレーン等の吊り上げ手段と連結するワイヤＷとを別ワイヤとしているが、吊り上げ治具１ａにはワイヤＷを挿通すると共に係止する部位を設けて、基台６ａに取り付けたワイヤＷを吊り上げ治具１ａを介してクレーン等に連結しても良い。
【符号の説明】
【００２１】
１，１ａ・・吊り上げ治具（受変電設備吊り上げ治具）、２・・変圧器、３・・低圧端子台、６・・フレーム体、６ａ・・基台、６ｂ・・前面枠、１０・・変圧器盤（受変電設備）、１１・・天枠、１２・・背枠、１３，１３ａ，１３ｃ・・アイボルト（吊り部材）、Ｗ・・ワイヤ。
【図１】
2018074802.tif 000003
【図２】
2018074802.tif 000004
【図３】
2018074802.tif 000005
【図４】
2018074802.tif 000006
【図５】
2018074802.tif 000007